【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
物体側より像面側へ順に配置された、正の屈折力の第１レンズ群、負の屈折力の第２レンズ群、正の屈折力の第３レンズ群、負の屈折力の第４レンズ群、正の屈折力の第５レンズ群から構成され、ズーミングに際して隣り合うレンズ群の間隔が変化するズームレンズであって、
広角端に比べて望遠端において、前記第１レンズ群と前記第２レンズ群との間隔が大きくなり、前記第２レンズ群と前記第３レンズ群との間隔が小さくなり、前記第４レンズ群と前記第５レンズ群との間隔が大きくなり、
ズーミングに際して少なくとも前記第２レンズ群と前記第４レンズ群が移動し、前記第５レンズ群は不動であり、
前記第４レンズ群と前記第５レンズ群との間に光路を折り曲げるための反射手段を有することを特徴とするズームレンズ。
【請求項２】
前記第３レンズ群の焦点距離をｆ３、前記第４レンズ群の焦点距離をｆ４とするとき、０．８＜−ｆ３／ｆ４＜１．５
なる条件式を満足することを特徴とする請求項１に記載のズームレンズ。
【請求項３】
前記第４レンズ群の焦点距離をｆ４、望遠端における全系の焦点距離をｆｔとするとき、
０．０２＜−ｆ４／ｆｔ＜０．１２
なる条件式を満足することを特徴とする請求項１又は２に記載のズームレンズ。
【請求項４】
前記第３レンズ群の焦点距離をｆ３、前記第５レンズ群の焦点距離をｆ５とするとき、０．４＜ｆ３／ｆ５＜１．１
なる条件式を満足することを特徴とする請求項１乃至３のいずれか１項に記載のズームレンズ。
【請求項５】
フォーカスに際して前記第４レンズ群が移動することを特徴とする請求項１乃至４のいずれか１項に記載のズームレンズ。
【請求項６】
前記第５レンズ群は１つのレンズ成分から構成されることを特徴とする請求項１乃至５のいずれか１項に記載のズームレンズ。
【請求項７】
前記第４レンズ群は１つのレンズ成分から構成されることを特徴とする請求項１乃至６のいずれか１項に記載のズームレンズ。
【請求項８】
広角端における全系の焦点距離をｆｗ、広角端から望遠端の各ズーム位置における前記第４レンズ群と前記第５レンズ群との間隔の最小値をＤ４５ｍｉｎとするとき、
２．０＜Ｄ４５ｍｉｎ／ｆｗ＜３．５
なる条件式を満足することを特徴とする請求項１乃至７のいずれか１項に記載のズームレンズ。
【請求項９】
前記反射手段の出射面と像面との間隔をＤｐｉ、望遠端におけるレンズ全長をＬｔとするとき、
０．０３＜Ｄｐｉ／Ｌｔ＜０．４０
なる条件式を満足することを特徴とする請求項１乃至８のいずれか１項に記載のズームレンズ。
【請求項１０】
前記ズームレンズによって形成される各ズーム位置における有効像円径のうち最大の有効像円径の半径をＹｍａｘ、広角端から望遠端へのズーミングにおける前記第２レンズ群の移動量をｍ２とするとき、
０．０３＜Ｙｍａｘ／｜ｍ２｜＜０．１５
なる条件式を満足することを特徴とする請求項１乃至９のいずれか１項に記載のズームレンズ。
【請求項１１】
前記第２レンズ群の焦点距離をｆ２、望遠端における全系の焦点距離をｆｔとするとき、
０．０２＜−ｆ２／ｆｔ＜０．０７
なる条件式を満足することを特徴とする請求項１乃至１０のいずれか１項に記載のズームレンズ。
【請求項１２】
前記第１レンズ群の焦点距離をｆ１、広角端における全系の焦点距離をｆｗとするとき、
８．０＜ｆ１／ｆｗ＜２０．０
なる条件式を満足することを特徴とする請求項１乃至１１のいずれか１項に記載のズームレンズ。
【請求項１３】
広角端と望遠端における前記第２レンズ群の横倍率をそれぞれβ２ｗ、β２ｔとするとき、
２０＜β２ｔ／β２ｗ＜７０
なる条件式を満足することを特徴とする請求項１乃至１２のいずれか１項に記載のズームレンズ。
【請求項１４】
前記第４レンズ群の焦点距離をｆ４、前記第５レンズ群の焦点距離をｆ５とするとき、０．４０＜−ｆ４／ｆ５＜０．９５
なる条件式を満足することを特徴とする請求項１乃至１３のいずれか１項に記載のズームレンズ。
【請求項１５】
前記第５レンズ群の焦点距離をｆ５、望遠端における全系の焦点距離をｆｔとするとき、
０．０６＜ｆ５／ｆｔ＜０．１５
なる条件式を満足することを特徴とする請求項１乃至１４のいずれか１項に記載のズームレンズ。
【請求項１６】
前記第２レンズ群に含まれる正レンズの材料のｄ線におけるアッベ数をνｄ２とするとき、前記第２レンズ群は、
１０．０＜νｄ２＜２０．０
なる条件式を満足する正レンズを含むことを特徴とする請求項１乃至１５のいずれか１項に記載のズームレンズ。
【請求項１７】
固体撮像素子に像を形成することを特徴とする請求項１乃至１６のいずれか１項に記載のズームレンズ。
【請求項１８】
請求項１乃至１７のいずれか１項に記載のズームレンズと、該ズームレンズによって形成される像を受光する固体撮像素子とを有することを特徴とする撮像装置。
【手続補正２】
【補正対象書類名】明細書
【補正対象項目名】００１２
【補正方法】変更
【補正の内容】
【００１２】
本発明のズームレンズは、物体側より像面側へ順に配置された、正の屈折力の第１レンズ群、負の屈折力の第２レンズ群、正の屈折力の第３レンズ群、負の屈折力の第４レンズ群、正の屈折力の第５レンズ群から構成され、ズーミングに際して隣り合うレンズ群の間隔が変化するズームレンズであって、
広角端に比べて望遠端において、前記第１レンズ群と前記第２レンズ群との間隔が大きくなり、前記第２レンズ群と前記第３レンズ群との間隔が小さくなり、前記第４レンズ群と前記第５レンズ群との間隔が大きくなり、
ズーミングに際して少なくとも前記第２レンズ群と前記第４レンズ群が移動し、前記第５レンズ群は不動であり、
前記第４レンズ群と前記第５レンズ群との間に光路を折り曲げるための反射手段を有することを特徴としている。
【手続補正３】
【補正対象書類名】明細書
【補正対象項目名】００１５
【補正方法】変更
【補正の内容】
【００１５】
以下、本発明のズームレンズ及びそれを有する撮像装置について説明する。本発明のズームレンズは、物体側より像面側へ順に配置された、正の屈折力の第１レンズ群、負の屈折力の第２レンズ群、正の屈折力の第３レンズ群、負の屈折力の第４レンズ群、正の屈折力の第５レンズ群から構成される。そしてズーミングに際して隣り合うレンズ群の間隔が変化する。
【手続補正４】
【補正対象書類名】明細書
【補正対象項目名】００１６
【補正方法】変更
【補正の内容】
【００１６】
そして広角端に比べて望遠端において、第１レンズ群と第２レンズ群との間隔が大きくなり、第２レンズ群と第３レンズ群との間隔が小さくなる。更に第４レンズ群と第５レンズ群との間隔が大きくなるように、ズーミングに際して少なくとも第２レンズ群と第４レンズ群が移動する。第５レンズ群は不動である。第４レンズ群と第５レンズ群との間に光路を折り曲げるための反射手段を有する。
【手続補正５】
【補正対象書類名】明細書
【補正対象項目名】００３４
【補正方法】変更
【補正の内容】
【００３４】
広角端と望遠端における全系の焦点距離をそれぞれｆｗ、ｆｔとする。第１レンズ群Ｌ１，第２レンズ群Ｌ２，第３レンズ群Ｌ３，第４レンズ群Ｌ４，第５レンズ群Ｌ５の焦点距離をそれぞれｆ１，ｆ２，ｆ３，ｆ４，ｆ５とする。広角端から望遠端の各ズーム位置における第４レンズ群Ｌ４と第５レンズ群Ｌ５との間隔の最小値をＤ４５minとする。このときフォーカス用の第４レンズ群Ｌ４は無限遠に合焦する位置にあるものとする。反射プリズムＰＲがプリズム部材よりなるとき、反射手段ＰＲの射出面と像面との間隔をＤｐｉ、望遠端におけるレンズ全長（第１レンズ面から像面までの距離）をＬｔとする。
【手続補正６】
【補正対象書類名】明細書
【補正対象項目名】００３６
【補正方法】変更
【補正の内容】
【００３６】
ここでレンズ群の広角端から望遠端へのズーミングにおける移動量とはレンズ群の広角端と望遠端における光軸方向の位置の差をいう。位置の差の符号はレンズ群が広角端に比べて望遠端において像側に位置するときを正、物体側に位置するときを負とする。第２レンズ群Ｌ２の広角端と望遠端における横倍率をそれぞれβ２ｗ、β２ｔとする。第２レンズ群Ｌ２に含まれる正レンズの材料のｄ線におけるアッベ数をνｄ２とする。このとき、次の条件式のうち１以上を満足するのが良い。但し条件式（１２）は第２レンズ群Ｌ２に含まれる正レンズのうち少なくとも１つの正レンズが満足すれば良い。